【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
生物学的粒子をその生物学的情報に基づいてソーティングする装置であって、
上記生物学的粒子を所定の間隔をあけて配置した液体のフローを形成するとともに上記フローを噴射して上記生物学的粒子を含む液滴を形成する流路形成部と、
上記フローに含まれる生物学的粒子に光を照射する照明部と、
上記生物学的粒子からの光を検出位置において検出する光検出部と、
上記検出位置から下流側に一定の第１距離を隔てた位置に画像上端を有する撮影領域において上記フローとこのフローから分離した液滴を撮像する固定撮影部と、
上記撮影部で撮影されたフローの画像をもとに、上記画像上端から上記フローのブレークオフポイントまでの第２距離と上記フローから分離した液滴の間隔を計算するとともに、上記第１距離、第２距離、および液滴間隔を利用して上記粒子が検出位置からブレークオフポイントまで移動するまでの時間を計算する手段と、
上記光検出器が生物学的粒子からの光を検出してから、上記計算された時間をあけて、上記生物学的粒子の性質に応じた極性の電荷を上記フローに印加する手段を備えたことを特徴とする装置。
【請求項２】
請求項１に記載の装置であって、
上記検出部で検出された光から上記生物学的粒子の生物学的情報を得る処理部と、
上記検出部が光を検出してから、上記計算された時間をあけて、上記処理部で得られた上記生物学的粒子の生物学的情報に基づいて、対応する上記生物学的粒子に電荷を与える手段と、
上記生物学的粒子に与えられた電荷を利用して上記生物学的粒子を含む液滴の落下方向を偏向する手段とを備えたことを特徴とする装置。
【請求項３】
請求項１に記載の装置であって、
照明部は、流路形成部内のフローに光を照射することを特徴とする装置。
【請求項４】
請求項１に記載の装置であって、
上記第２距離は、上記フローに沿ってその近傍に配置された基準寸法物を、撮像された画像の画素数と対比することにより計算することを特徴とする装置。
【請求項５】
生物学的粒子をソーティングする方法であって、
上記生物学的粒子を含む液体のフローを形成する工程と、
上記フローに含まれる生物学的粒子に光を当てる工程と、
上記生物学的粒子からの光を検出位置において検出する工程と、
上記検出された光をもとに上記生物学的粒子の情報を取得する工程と、
上記検出位置から下流側に一定の第１距離を隔てた位置に画像上端を有する撮影領域において上記フローとこのフローから分離した液滴を撮像する工程と、
上記フローの撮影画像から、上記画像上端からブレークオフポイントまでの第２距離と上記フローから分離した液滴の間隔とを求める工程と、
上記第１距離、第２距離、および液滴間隔を利用して、上記粒子が検出位置からブレークオフポイントまで移動する時間を計算する工程と、
上記生物学的粒子からの光を検出してから上記計算された時間の経過後、上記生物学的粒子の情報に基づいて上記フローに電荷を注入する工程と、
上記注入された電荷をもとに、上記フローから分離した液滴をソーティングする工程を備えたことを特徴とする方法。
【請求項６】
請求項５に記載の方法であって、
生物学的粒子に光を当てる工程は、流路形成部内のフローに光を当てることを特徴とする方法。
【請求項７】
請求項５に記載の方法であって、
上記第２距離を求める工程は、上記フローに沿ってその近傍に配置された基準寸法物を、撮像された画像の画素数と対比することにより求めることを特徴とする方法。
【手続補正２】
【補正対象書類名】明細書
【補正対象項目名】０００８
【補正方法】変更
【補正の内容】
【０００８】
そこで、本発明の装置は、生物学的粒子をその生物学的情報に基づいてソーティングする装置であって、
上記生物学的粒子を所定の間隔をあけて配置した液体のフローを形成するとともに上記フローを噴射して上記生物学的粒子を含む液滴を形成する流路形成部と、
上記フローに含まれる生物学的粒子に光を照射する照明部と、
上記生物学的粒子からの光を検出位置において検出する光検出部と、
上記検出位置から下流側に一定の第１距離を隔てた位置に画像上端を有する撮影領域において上記フローとこのフローから分離した液滴を撮像する固定撮影部と、
上記撮影部で撮影されたフローの画像をもとに、上記画像上端から上記フローのブレークオフポイントまでの第２距離と上記フローから分離した液滴の間隔を計算するとともに、上記第１距離、第２距離、および液滴間隔を利用して上記粒子が検出位置からブレークオフポイントまで移動するまでの時間を計算する手段と、
上記光検出器が生物学的粒子からの光を検出してから、上記計算された時間をあけて、上記生物学的粒子の性質に応じた極性の電荷を上記フローに印加する手段を設けたものである。
【手続補正３】
【補正対象書類名】明細書
【補正対象項目名】０００９
【補正方法】変更
【補正の内容】
【０００９】
また、本発明の装置は、さらに、
上記検出部で検出された光から上記生物学的粒子の生物学的情報を得る処理部と、
上記検出部が光を検出してから、上記計算された時間をあけて、上記処理部で得られた上記生物学的粒子の生物学的情報に基づいて、対応する上記生物学的粒子に電荷を与える手段と、
上記生物学的粒子に与えられた電荷を利用して上記生物学的粒子を含む液滴の落下方向を偏向する手段とを備える。
【手続補正４】
【補正対象書類名】明細書
【補正対象項目名】００１０
【補正方法】変更
【補正の内容】
【００１０】
本発明の装置において、好適には、照明部は、流路形成部内のフローに光を照射する。また上記第２距離は、上記フローに沿ってその近傍に配置された基準寸法物を、撮像された画像の画素数と対比することにより計算する。
【手続補正５】
【補正対象書類名】明細書
【補正対象項目名】００１１
【補正方法】変更
【補正の内容】
【００１１】
本発明の生物学的粒子をソーティングする方法は、
上記生物学的粒子を含む液体のフローを形成する工程と、
上記フローに含まれる生物学的粒子に光を当てる工程と、
上記生物学的粒子からの光を検出位置において検出する工程と、
上記検出された光をもとに上記生物学的粒子の情報を取得する工程と、
上記検出位置から下流側に一定の第１距離を隔てた位置に画像上端を有する撮影領域において上記フローとこのフローから分離した液滴を撮像する工程と、
上記フローの撮影画像から、上記画像上端からブレークオフポイントまでの第２距離と上記フローから分離した液滴の間隔とを求める工程と、
上記第１距離、第２距離、および液滴間隔を利用して、上記粒子が検出位置からブレークオフポイントまで移動する時間を計算する工程と、
上記生物学的粒子からの光を検出してから上記計算された時間の経過後、上記生物学的粒子の情報に基づいて上記フローに電荷を注入する工程と、
上記注入された電荷をもとに、上記フローから分離した液滴をソーティングする工程を備えたものである。
【手続補正６】
【補正対象書類名】明細書
【補正対象項目名】００１２
【補正方法】変更
【補正の内容】
【００１２】
本発明の方法において、好適には、照明部は、流路形成部内のフローに光を照射する。また上記第２距離は、上記フローに沿ってその近傍に配置された基準寸法物を、撮像された画像の画素数と対比することにより計算する。
【手続補正７】
【補正対象書類名】図面
【補正対象項目名】図９
【補正方法】変更
【補正の内容】
【図９】
2005315799.tif 000001
【手続補正８】
【補正対象書類名】図面
【補正対象項目名】図１２
【補正方法】変更
【補正の内容】
【図１２】
2005315799.tif 000002